(57)【要約】      （修正有）【課題】打球の飛距離を増大させるゴルフクラブヘッドを提供する。【解決手段】中空のゴルフクラブヘッド１であって、ボールを打撃するフェース２ａを有するフェース部２と、フェース部２からヘッド後方に延びるクラウン壁４、サイド壁６及びソール壁を含む本体部分３とを含む。本体部分３の少なくとも一つの壁部には、フェース部２でボールを打撃したときに本体部分３の部分的な弾性変形を促進するための屈曲部１０が設けられる。屈曲部１０は、第１屈曲部１１と第２屈曲部１２とを含み、これらは、それぞれ、壁部の厚さ方向で振幅しながらヘッド前後方向に延びる。第１屈曲部１１と第２屈曲部１２とは、フェース２の周縁Ｅに沿って連続し、かつ、互いに異なる位相を有する。【選択図】図５
2019208938.tif 000002
【特許請求の範囲】
【請求項１】
中空のゴルフクラブヘッドであって、
ボールを打撃するフェースを有するフェース部と、前記フェース部からヘッド後方に延びるクラウン壁、サイド壁及びソール壁を含む本体部分とを含み、
前記本体部分の少なくとも一つの壁部には、前記フェース部でボールを打撃したときに前記本体部分の部分的な弾性変形を促進するための屈曲部が設けられており、
前記屈曲部は、第１屈曲部と第２屈曲部とを含み、
前記第１屈曲部及び前記第２屈曲部は、それぞれ、前記壁部の厚さ方向で振幅しながらヘッド前後方向に延び、
前記第１屈曲部と前記第２屈曲部とは、前記フェースの周縁に沿って連続し、かつ、互いに異なる位相を有している、
ゴルフクラブヘッド。
【請求項２】
前記第１屈曲部及び前記第２屈曲部の位相差が半周期である、請求項１に記載のゴルフクラブヘッド。
【請求項３】
前記屈曲部は、前記クラウン壁、前記サイド壁及び前記ソール壁において、隣接する少なくとも２つの壁部に跨って形成されており、
前記第１屈曲部と前記第２屈曲部とを繋ぐ接続部が、前記２つの壁部の境界に対応して設けられている、請求項１又は２に記載のゴルフクラブヘッド。
【請求項４】
前記接続部は、ジグザグ状でヘッド前後方向に延びている、請求項３に記載のゴルフクラブヘッド。
【請求項５】
前記第１屈曲部及び前記第２屈曲部は、振幅の基準線に対して、ヘッド中心側へ凹む谷部と、ヘッド外方側に凸となる山部とを含む、請求項１ないし４のいずれかに記載のゴルフクラブヘッド。
【請求項６】
前記第１屈曲部は、前記山部と、そのヘッド前後方向の両側に位置する２つの前記谷部とを含み、
前記山部からそれぞれの前記谷部に向かって前記フェースの周縁に沿った方向である第１方向の長さが漸増する２つの第１三角形状要素を含む、請求項５に記載のゴルフクラブヘッド。
【請求項７】
前記第２屈曲部は、前記谷部と、そのヘッド前後方向の両側に位置する２つの前記山部とを含み、
前記谷部からそれぞれの前記山部に向かって前記第１方向の長さが漸減する２つの第２三角形状要素を含む、請求項６に記載のゴルフクラブヘッド。
【請求項８】
前記第２三角形状要素と前記第１三角形状要素とは、一辺を互いに共有して連続する、請求項７記載のゴルフクラブヘッド。
【請求項９】
前記第１屈曲部と前記第２屈曲部とが、前記第１方向に交互に繰り返して配置されている、請求項７又は８に記載のゴルフクラブヘッド。
【請求項１０】
前記屈曲部は、前記クラウン壁、前記サイド壁及び前記ソール壁に跨って設けられている、請求項１ないし９のいずれかに記載のゴルフクラブヘッド。
【請求項１１】
前記第１三角形状要素及び前記第２三角形状要素は、それぞれ、直線状の辺によって画定される、請求項７ないし９のいずれかに記載のゴルフクラブヘッド。 
【請求項１２】
前記屈曲部は、ダイヤカット面を含む構造である、請求項１ないし１１のいずれかに記載のゴルフクラブヘッド。
【請求項１３】
中空のゴルフクラブヘッドであって、
ボールを打撃するフェースを有するフェース部と、前記フェース部からヘッド後方に延びるクラウン壁、サイド壁及びソール壁を含む本体部分とを含み、
前記本体部分の少なくとも一つの壁部には、前記フェース部でボールを打撃したときに前記本体部分の部分的な変形を促進するための屈曲部が設けられており、
前記屈曲部は、ダイヤカット面を含む、
ゴルフクラブヘッド。
【発明の詳細な説明】
【技術分野】
【０００１】
本発明は、ゴルフクラブヘッドに関し、詳しくは、中空のゴルフクラブヘッドに関する。
【背景技術】
【０００２】
従来、打球の飛距離を増大させるために、ゴルフクラブヘッドの反発性能を向上させる種々の試みがなされている。例えば、下記特許文献１には、ゴルフクラブヘッドのソール部に、実質的にリーディングエッジと平行に、トウ・ヒール方向に延びる屈曲部を設けることが記載されている。
【先行技術文献】
【特許文献】
【０００３】
【特許文献１】特開２０１６−１８２３５６号公報
【発明の概要】
【発明が解決しようとする課題】
【０００４】
発明者らは、フェース部からヘッド後方に延びるクラウン壁、サイド壁及びソール壁を含む本体部分の少なくとも一部に、新規な屈曲構造を設けると、ゴルフクラブヘッドの反発性能を有意に高め得ることを知見した。
【０００５】
以上のように、本発明の課題は、打球の飛距離を向上させるのに役立つゴルフクラブヘッドを提供することである。
【課題を解決するための手段】
【０００６】
本発明は、中空のゴルフクラブヘッドであって、ボールを打撃するフェースを有するフェース部と、前記フェース部からヘッド後方に延びるクラウン壁、サイド壁及びソール壁を含む本体部分とを含み、前記本体部分の少なくとも一つの壁部には、前記フェース部でボールを打撃したときに前記本体部分の部分的な弾性変形を促進するための屈曲部が設けられており、前記屈曲部は、第１屈曲部と第２屈曲部とを含み、前記第１屈曲部及び前記第２屈曲部は、それぞれ、前記壁部の厚さ方向で振幅しながらヘッド前後方向に延び、前記第１屈曲部と前記第２屈曲部とは、前記フェースの周縁に沿って連続し、かつ、互いに異なる位相を有している。
【０００７】
本発明のゴルフクラブヘッドでは、前記屈曲部が、互いに異なる位相を有する第１屈曲部及び第２屈曲部がフェースの周縁に沿って連続するものとして構成されている。このような屈曲部は、ボール衝突方向の剛性が効果的に低下する。このため、本発明のゴルフクラブヘッドは、ボール打撃時、本体部分の部分的な弾性変形が大きく発現し、高い反発性能を発揮する。したがって、本発明のゴルフクラブヘッドは、打球の飛距離を増大させる。
【０００８】
本発明の他の態様では、前記第１屈曲部及び前記第２屈曲部の位相差が半周期とされても良い。
【０００９】
本発明の他の態様では、前記屈曲部は、前記クラウン壁、前記サイド壁及び前記ソール壁において、隣接する少なくとも２つの壁部に跨って形成されてもよい。この場合、前記第１屈曲部と前記第２屈曲部とを繋ぐ接続部が、前記２つの壁部の境界に対応して設けられても良い。
【００１０】
本発明の他の態様では、前記接続部は、ジグザグ状でヘッド前後方向に延びることができる。
【００１１】
本発明の他の態様では、前記第１屈曲部及び前記第２屈曲部は、振幅の基準線に対して、ヘッド中心側へ凹む谷部と、ヘッド外方側に凸となる山部とを含むことができる。
【００１２】
本発明の他の態様では、前記第１屈曲部は、前記山部と、そのヘッド前後方向の両側に位置する２つの前記谷部とを含み、前記山部からそれぞれの前記谷部に向かって前記フェースの周縁に沿った方向である第１方向の長さが漸増する２つの第１三角形状要素を含むことができる。
【００１３】
本発明の他の態様では、前記第２屈曲部は、前記谷部と、そのヘッド前後方向の両側に位置する２つの前記山部とを含み、前記谷部からそれぞれの前記山部に向かって前記第１方向の長さが漸減する２つの第２三角形状要素を含むことができる。
【００１４】
本発明の他の態様では、前記第２三角形状要素と前記第１三角形状要素とは、一辺を互いに共有して連続することができる。
【００１５】
本発明の他の態様では、前記第１屈曲部と前記第２屈曲部とが、前記第１方向に交互に繰り返して配置されても良い。
【００１６】
本発明の他の態様では、前記第１三角形状要素及び前記第２三角形状要素は、それぞれ、直線状の辺によって画定されても良い。
【００１７】
本発明の他の態様では、前記屈曲部は、ダイヤカット面を含む構造であっても良い。
【００１８】
本発明の他の態様では、前記屈曲部は、前記クラウン壁、前記サイド壁及び前記ソール壁に跨って設けられても良い。
【００１９】
第２の発明では、中空のゴルフクラブヘッドであって、ボールを打撃するフェースを有するフェース部と、前記フェース部からヘッド後方に延びるクラウン壁、サイド壁及びソール壁を含む本体部分とを含み、前記本体部分の少なくとも一つの壁部には、前記フェース部でボールを打撃したときに前記本体部分の部分的な変形を促進するための屈曲部が設けられており、前記屈曲部は、ダイヤカット面を含む。
【発明の効果】
【００２０】
本発明のゴルフクラブヘッドは、打球の飛距離を向上させることができる。
【図面の簡単な説明】
【００２１】
【図１】第１実施形態のゴルフクラブヘッドの正面図である。
【図２】図１のゴルフクラブヘッドの平面図である。
【図３】図１のゴルフクラブヘッドをトウ側から見た側面図である。
【図４】図１のゴルフクラブヘッドの底面図である。
【図５】図１のゴルフクラブヘッドの斜視図である。
【図６】（Ａ）及び（Ｂ）は、それぞれ、図２のＡ−Ａ線及び図３のＢ−Ｂ線断面図である。
【図７】（Ａ）は、フェースの周縁を説明するゴルフクラブヘッドの正面図、（Ｂ）は、（Ａ）のｓ１断面図である。
【図８】第２実施形態のゴルフクラブヘッドの正面図である。
【図９】図８のゴルフクラブヘッドの平面図である。
【図１０】図８のゴルフクラブヘッドをトウ側から見た側面図である。
【図１１】図８のゴルフクラブヘッドの底面図である。
【図１２】図８のゴルフクラブヘッドの斜視図である。
【図１３】（Ａ）及び（Ｂ）は、それぞれ、図９のＡ−Ａ線及びＢ−Ｂ線断面図である。
【図１４】他の実施形態のゴルフクラブヘッドの斜視図である。
【図１５】比較例２のゴルフクラブヘッドの断面図である。
【発明を実施するための形態】
【００２２】
以下、本発明の実施の一形態が図面に基づき説明される。以下に詳述される実施形態及び図面に表された具体的な構成は、本発明の内容を理解するためのものであって、本発明は、図示されている具体的な構成に限定されるものではない。また、以後の説明では、同一又は共通する要素については同一の符号が付されており、重複する説明が省略されている点が理解されなければならない。
【００２３】
図１ないし５は、本実施形態のゴルフクラブヘッド１（以下、単に、「ヘッド」ということがある。）のそれぞれ正面図、平面図、側面図、底面図及び斜視図である。また、図１ないし５は、基準状態とされたヘッド１が描かれている。
【００２４】
［ヘッドの基準状態］
ヘッド１の基準状態とは、ヘッド１が、水平面ＨＰに対して、そのロフト角α（図３）及びライ角β（図１）に保たれた状態である。基準状態では、ヘッド１のシャフト軸中心線ＣＬが、任意の垂直面ＶＰ内に配される。垂直面ＶＰに沿った水平な方向ｙが、ヘッド１のトウ・ヒール方向であり、垂直面ＶＰと直交する水平な方向ｘがヘッド前後方向とされる。上記ｘ及びｙにともに直交する垂直方向ｚが、ヘッド上下方向とされる。
【００２５】
［ヘッドの基本構成］
図１ないし５において、本実施形態のヘッド１は、内部に中空部ｉ（図２に示す）を有し、例えば、典型的なウッド型形状、より好ましくはドライバーとして構成される。ウッド型のヘッドは、ドライバー（＃１）の他、少なくともブラッシー（＃２）、スプーン（＃３）、バフィ（＃４）及びクリーク（＃５）を含む。また、ウッド型のヘッド１は、先に列挙されたものと番手又は名称が異なっていても、略類似した形状を持つヘッドを含む。本発明の他の実施形態では、ヘッド１は、例えば、ユーティリティー型やアイアン型として構成され得る。
【００２６】
本実施形態のヘッド１は、例えば、金属材料で構成されている。前記金属材料としては、例えば、チタン、チタン合金、ステンレス鋼又はアルミニウム合金など種々のものが採用可能である。他の態様では、ヘッド１は、その一部が樹脂、ゴム、エラストマー又は繊維強化樹脂といった非金属材料で構成されても良い。
【００２７】
本実施形態のヘッド１は、例えば、フェース部２と、フェース部２からヘッド後方に延びる本体部分３とを含んでいる。
【００２８】
フェース部２の前面は、ボールを打撃するための打撃面であるフェース２ａとして構成されている。フェース部２の背面（図示省略）は、中空部ｉに面している。このように、フェース部２は、板状に形成されている。
【００２９】
ヘッド１の本体部分３は、例えば、クラウン壁４、ソール壁５及びサイド壁６を含んでおり、これらは中空部ｉを囲むように形成されている。
【００３０】
クラウン壁４は、フェース部２に連なってヘッド上面を構成している。ソール壁５は、フェース部２に連なってヘッド底面を構成している。サイド壁６は、クラウン壁４とソール壁５との間を接続し、ヘッド側面を構成している。サイド壁６のトウ側及びヒール側は、それぞれ、フェース部２のトウ側及びヒール側に接続されている。フェース部２、クラウン壁４、ソール壁５及びサイド壁６により、フェース部２の後方に中空部ｉが画定される。
【００３１】
図１及び図２に示されるように、クラウン壁４のヒール側には、例えば、ホーゼル部７が設けられても良い。ホーゼル部７は、シャフト（図示省略）が固定可能なように、シャフト差込孔７ａを有する筒状に構成されている。シャフト差込孔７ａの軸中心線は、上記シャフト軸中心線ＣＬに対応している。
【００３２】
［第１実施形態の屈曲部］
図１及び図２に示されるように、本実施形態のヘッド１の本体部分３の少なくとも１つの壁部（すなわち、クラウン壁４、ソール壁５又はサイド壁６の少なくとも一つ）には、屈曲部１０が形成されている。屈曲部１０は、フェース部２でボールを打撃したときに本体部分３の部分的な弾性変形を促進するように機能する。
【００３３】
好ましい態様では、屈曲部１０は、クラウン壁４、サイド壁６及びソール壁５において、隣接する少なくとも２つの壁部に跨って形成される。本実施形態の屈曲部１０は、クラウン壁４からトウ側のサイド壁６を通りソール壁５まで延びる態様、すなわち、隣接する３つの壁部４ないし６に跨って形成された特に好ましい態様が示されている。他の態様では、屈曲部１０は、クラウン壁４、サイド壁６及びソール壁５のいずれか一つの壁部のみに形成されても良い。
【００３４】
本実施形態において、屈曲部１０は、第１屈曲部１１と第２屈曲部１２とを含んで構成されている。
【００３５】
［第１屈曲部及び第２屈曲部の構成］
図６（Ａ）及び（Ｂ）には、第１屈曲部１１及び第２屈曲部１２の断面図として、それぞれ図２のＡ−Ａ線及び図３のＢ−Ｂ線の断面図が示されている。図６（Ａ）及び（Ｂ）に示されるように、第１屈曲部１１及び第２屈曲部１２は、それぞれ、壁部の厚さ方向で振幅しながらヘッド前後方向に延びる屈曲構造を有する。
【００３６】
ここで、「壁部の厚さ方向」とは、図６（Ａ）及び（Ｂ）に符号Ｗｔで示されるように、第１屈曲部１１又は第２屈曲部１２が設けられている壁部の厚さの方向（ここでは、クラウン壁４及びサイド壁６のそれぞれの厚さの方向）を意味している。
【００３７】
また、前記「振幅」とは、前記各断面において、任意の基準線１４を基準として、前記厚さ方向Ｗｔの一方側及び他方側に壁部が振れる態様を意味する。
【００３８】
本実施形態の屈曲構造では、基準線１４に対してヘッド中心側へ凹む谷部２０と、基準線１４に対してヘッド外方側に突出した山部３０とを含み、これらがヘッド前後方向に交互に配置されている。したがって、山部３０は、振幅の基準線１４に対してヘッド外方に突出するものであれば、本体部分３の屈曲構造以外の部分（例えば、平滑なクラウン部の表面）から突出している必要はないが、突出しても良い。同様に、谷部２０は、振幅の基準線１４に対してヘッド中心側に凹むものであれば、本体部分３の屈曲構造以外の部分（例えば、平滑なクラウン部の表面）から凹んでいる必要はないが、凹んでいても良い。これにより、屈曲部１０の屈曲構造は、壁部がジグザグ状に折れ曲がってヘッド前後方向に延びている。図では、谷部２０及び山部３０において、エッジｅの立った（すなわち、ヘッド外面において、山部３０と谷部２０にそれぞれ稜線や谷底線が現れるような）ジグザグ状とされているが、他の態様では、屈曲構造は、正弦波状や波状で構成されても良い。
【００３９】
本実施形態の屈曲構造では、第１屈曲部１１と第２屈曲部１２とは、フェース２ａの周縁Ｅに沿って連続し、かつ、互いに異なる位相を有している。
【００４０】
本実施形態のヘッド１の屈曲部１０は、互いに異なる位相を有する第１屈曲部１１及び第２屈曲部１２がフェースの周縁に沿って連続するものとして構成されている。このような屈曲部１０は、ボール衝突方向の剛性が効果的に低下する。このため、ヘッド１は、ボール打撃時、本体部分３の部分的な弾性変形が大きく発現し、高い反発性能を発揮する。したがって、ヘッド１は、打球の飛距離を増大させることができる。
【００４１】
本実施形態の屈曲部１０の他の利点としては、ボール打撃時、屈曲部１０の長手方向（フェース２ａの周縁Ｅに沿った方向）において、特定箇所に変形が集中しにくいという点が挙げられる。したがって、例えば、フェース２ａのオフセンターで打撃されたときでも、屈曲部１０は、その長手方向のほぼ全体がボール衝突方向（すなわち、ヘッド前後方向）にほぼ均等に弾性変形する。これにより、オフセンター打撃時のフェース２ａの向きが安定し、打球の方向性が向上する。
【００４２】
本明細書において、フェース２ａの周縁Ｅとは、フェース２ａが稜線で画定されている場合、この稜線がフェース２ａの周縁Ｅである。これに対して、明確な稜線が形成されていない場合、図７（Ａ）に示されるように、ヘッド重心ＧとスイートスポットＳＳとを結ぶ法線Ｎを含む各断面ｓ１、ｓ２、ｓ３…において、図７（Ｂ）に示されるように、フェース２ａの外面輪郭線Ｌｆの曲率半径ｒがスイートスポットＳＳ側からフェース２ａの外側に向かって初めて２００mm となる位置Ｐｅがフェース２ａの周縁Ｅとして定義される。なお、スイートスポットＳＳとは、ヘッド重心Ｇを通るフェース２ａに立てた法線Ｎとこのフェース２ａとの交点である。なお、図５に符号ＦＰで示されるように、この周縁Ｅに沿った方向は、以下、「第１方向」と呼ぶ場合がある。
【００４３】
また、フェースの周縁Ｅに「沿って」とは、一見して、第１屈曲部１１と第２屈曲部１２とが、フェースの周縁Ｅの方向で並んでいればよく、フェースの周縁Ｅと完全に平行に配置されていることまでが要求されない。
【００４４】
好ましい態様では、第１屈曲部１１及び第２屈曲部１２の位相差が半周期とされる。より詳細には、第１屈曲部１１及び第２屈曲部１２は、第１屈曲部１１の山部３０が第２屈曲部１２の谷部２０に、かつ、第１屈曲部１１の谷部２０が第２屈曲部１２の山部３０にそれぞれ連続するように配置されるのが望ましい。
【００４５】
好ましい態様では、第１屈曲部１１と第２屈曲部１２とを繋ぐ部分である接続部４０は、本体部分３の２つの壁部の境界に対応して設けられるのが望ましい。
【００４６】
例えば、本実施形態の屈曲部１０では、クラウン壁４に第１屈曲部１１が、サイド壁６に第２屈曲部１２がそれぞれ設けられ、両者を繋ぐ接続部４０は、クラウン壁４とサイド壁６との境界部に位置している。同様に、ソール壁５には、第１屈曲部１１が設けられており、この第１屈曲部１１と、サイド壁６に設けられた第２屈曲部１２とをつなぐ接続部４２は、ソール壁５とサイド壁６との境界部に位置している。
【００４７】
接続部４０、４２は、例えば、第１屈曲部１１及び第２屈曲部１２との間において、それぞれの山部３０を接続しながらジグザグ状でヘッド前後方向に延びる山折り状部分として構成されている。山折り状部分とは、ヘッド外方側に突出するように折り曲げられた部分である。接続部４０、４２は、異なる壁部に設けられた互いに位相が異なる第１屈曲部１１及び第２屈曲部１２を滑らかに連続させることができる。
【００４８】
例えば、フェース２ａのトウ側でボールを打撃するようなオフセンター打撃時、接続部４０、４２は、サイド壁６の第２屈曲部１２でより直接的に生じたヘッド前後方向の弾性変形を、クラウン壁４の第１屈曲部１１及び／又はソール壁５の第１屈曲部１１にもスムーズに伝達する。これにより、クラウン壁４及びソール壁５のそれぞれの第１屈曲部１１での弾性変形を促進させる。したがって、本実施形態のような接続部４０、４２は、フェース２ａのオフセンター打撃時においても、より一層、屈曲部１０の長手方向の均一な弾性変形を促進し、さらに、打球の方向性を向上させることができる。
【００４９】
本体部分３のクラウン壁４、ソール壁５及びサイド壁６の各部の厚さｔは、屈曲部１０を含めて、これまでの慣例に従って種々設定することができ、特に限定されるものではない。好ましい態様では、本体部分３の前記各壁部４ないし６のそれぞれの厚さｔは、例えば、０．５〜３．５mmの範囲とされても良い。
【００５０】
図２に示されるように、屈曲部１０のヘッド前後方向の幅ＷＬについても、特に限定されるものではないが、本体部分３に十分な変形領域を提供するために、好ましくは１０mm以上、より好ましくは２０mm以上とされても良い。
【００５１】
第１屈曲部１１及び第２屈曲部１２の各屈曲構造において、谷部２０及び山部３０からなる１周期が含まれていれば良いが、本体部分３に十分な変形領域を提供するために、好ましくは１．５周期以上、より好ましくは２周期以上含めることができる。
【００５２】
図６（Ａ）及び（Ｂ）に示されるように、第１屈曲部１１及び第２屈曲部１２の各屈曲構造において、谷部２０及び山部３０のピークトウピークの振幅ＡＰは、特に限定されるものではない。本体部分３に十分な変形領域を提供するために、前記振幅ＡＰは、好ましくは、当該壁部の厚さの１．５倍以上、より好ましくは２．０倍以上とされても良い。
【００５３】
［第２実施形態の屈曲部］
次に、本発明のゴルフクラブヘッドの第２実施形態が説明される。
図８ないし１２は、第２実施形態のヘッド１のそれぞれ正面図、平面図、側面図、底面図及び斜視図である。第２実施形態のヘッド１は、第１実施形態のそれとは、屈曲部１０の構成のみが異なっている。
【００５４】
図１３（Ａ）及び（Ｂ）には、第１屈曲部１１及び第２屈曲部１２の断面図として、それぞれ図９のＡ−Ａ線及びＢ−Ｂ線断面図が示されている。図１３（Ａ）及び（Ｂ）に示されるように、第２実施形態においても、第１屈曲部１１及び第２屈曲部１２は、振幅の基準線に対してヘッド中心側へ凹む谷部２０と、ヘッド外方側に凸となる山部３０とを含んでいる。
【００５５】
図１３（Ａ）に示されるように、第１屈曲部１１は、例えば、山部３０と、そのヘッド前後方向ｘの両側に位置する２つの谷部２０とを含む。また、図９に示されるように、第１屈曲部１１は、２つの第１三角形状要素５１で構成されている。それぞれの第１三角形状要素５１は、山部３０から谷部２０に向かって第１方向ＦＰの長さが漸増する。本実施形態では、第１屈曲部１１を構成している２つの第１三角形状要素５１は、ほぼ同一形状の略二等辺三角形であり、その頂角をなす頂点が互いに接続されている。
【００５６】
図１３（Ｂ）に示されるように、第２屈曲部１２は、谷部２０と、そのヘッド前後方向ｘの両側に位置する２つの山部３０とを含む。また、図９に示されるように、第２屈曲部１２は、２つの第２三角形状要素５２で構成されている。それぞれの第２三角形状要素５２は、谷部２０から山部３０に向かって第１方向ＦＰの長さが漸減する。本実施形態では、第２屈曲部１２を構成している２つの第２三角形状要素５２は、ほぼ同一形状の略二等辺三角形であり、その底辺が互いに接続されている。
【００５７】
好ましい態様では、第１三角形状要素５１及び第２三角形状要素５２は、それぞれ、直線状の辺６０によって画定される。また、さらに好ましい態様では、第１三角形状要素５１及び第２三角形状要素５２は、いずれもヘッド外面において、平面として形成されている。このような構造は、打球時に、屈曲部１０をさらに撓みやすくするのに役立つ。第２三角形状要素５２と前記第１三角形状要素５１とは、互いに辺６０を共有して連続する。この辺６０は、互いに位相が半周期異なっている第１屈曲部１１及び第２屈曲部１２を繋ぐ接続部４４を構成している。このような第２実施形態の屈曲部１０は、例えば、ダイヤカット面とも呼ばれる。
【００５８】
さらに、この実施形態では、第１屈曲部１１と第２屈曲部１２とは、第１方向ＦＰに交互に繰り返して配置されている。例えば、図９に示されるように、クラウン壁４において、第１屈曲部１１及び第２屈曲部１２が含まれている。同様に、図１０及び図１１に示されるように、サイド壁６やソール壁５においても、それぞれ第１屈曲部１１及び第２屈曲部１２が含まれている。このように、第２実施形態では、本体部分３の一つの壁部の中に、第１屈曲部１１と第２屈曲部１２との双方が含まれている。
【００５９】
第２実施形態の他の態様では、例えば、クラウン壁４、サイド壁６又はソール壁５のみにダイヤカット面が形成されても良い。この場合、図１４に代表例を示すように、ヘッド前後方向に、山部３０及び谷部２０をより多く含ませることができる。
【００６０】
以上、本発明の実施形態が詳細に説明されたが、本発明は、上記の具体的な実施形態に限定されるものではなく、種々の態様で実施しうるのは、言うまでもない。また、本明細書において、ある実施形態で説明された要素及びそれらの変形例は、明示がなくても、他の実施形態で示された対応する要素に適用することが意図されていると理解されなければならない。
【実施例】
【００６１】
本発明の効果を検証するために、複数の中空のチタン合金製のゴルフクラブヘッドを設計し、そのＦＥＭモデルを用いて、反発性能がテストされた。各ヘッドの特徴は、次のとおりである。また、各ヘッドは、屈曲部の構成を除いて、同一のスペックを有する。
【００６２】
比較例１：
屈曲部が設けられていないゴルフクラブヘッド。
比較例２：
図１５に示されるように、ソール壁にトウ・ヒール方向に延びる凹溝からなる屈曲部が設けられたゴルフクラブヘッド。
実施例１：
図１〜６に示した屈曲部を有するゴルフクラブヘッド。
実施例２：
図８〜１３に示したダイヤカット面の屈曲部を有するゴルフクラブヘッド。
【００６３】
ヘッドの「反発性能」は、反発係数で評価された。反発係数（COR: Coefficient of Restitution）は、Ｕ．Ｓ．Ｇ．Ａ．に従い、ゴルフボールをある一定の速度で打ち出してゴルフクラブヘッドのフェースに衝突させ、衝突の前後でのボールの速度比で表される。表１では、反発係数が、比較例１の値を１００とする指数で表示されている。数値が大きいほど反発が高いことを意味する。
【００６４】
テストの結果、それぞれの反発係数について比較例１を１００とした場合、比較例２では、２．０％の向上に留まったが、実施例１及び実施例２では、それぞれ６．１％及び４．１％の向上が確認できた。
【符号の説明】
【００６５】
１    ゴルフクラブヘッド
２    フェース部
２ａ  フェース
３    本体部分
４    クラウン壁
５    ソール壁
６    サイド壁
１０  屈曲部
１１  第１屈曲部
１２  第２屈曲部
１４  基準線
２０  谷部
３０  山部
４０  接続部
４２  接続部
４４  接続部
５１  第１三角形状要素
５２  第２三角形状要素
６０  一辺
Ｅ    周縁
ＦＰ  第１方向
ｉ    中空部
【図１】
2019208938.tif 000003
【図２】
2019208938.tif 000004
【図３】
2019208938.tif 000005
【図４】
2019208938.tif 000006
【図５】
2019208938.tif 000007
【図６】
2019208938.tif 000008
【図７】
2019208938.tif 000009
【図８】
2019208938.tif 000010
【図９】
2019208938.tif 000011
【図１０】
2019208938.tif 000012
【図１１】
2019208938.tif 000013
【図１２】
2019208938.tif 000014
【図１３】
2019208938.tif 000015
【図１４】
2019208938.tif 000016
【図１５】
2019208938.tif 000017